(57)【要約】      （修正有）【課題】ホームネットワークシステムにより、さらに利便性を向上させることができる電気給湯機を提供すること。【解決手段】ホームサーバと複数のネット端末から構成されるホームネットワークシステムにより、エアコン室外機とデータを共用化し、エアコン室外機の外気温度センサの測定温度が任意の温度より低い場合に湯張り温度を設定温度より高く補正するとともに、測定温度が任意の温度より高い場合に湯張り温度を設定温度より低く補正する温度補正回路を設ける。【選択図】図２
2006097925.tif 000002
【特許請求の範囲】
【請求項１】
貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットとを備えた電気給湯機において、ホームネットワークシステムによりエアコン室外機とデータを共用化し、該エアコン室外機の外気温度センサの測定温度が任意の温度より低い場合に湯張り温度を設定温度より高く補正するとともに、該測定温度が任意の温度より高い場合に湯張り温度を設定温度より低く補正する温度補正回路を設けたことを特徴とする電気給湯機。
【請求項２】
貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットと、追い焚き用の風呂循環回路と、該風呂循環回路から分岐し浴槽の水を洗濯機に供給する風呂水供給回路とを備えた電気給湯機において、ホームネットワークシステムにより洗濯機とデータを共用化し、該洗濯機からの洗濯注水のモード信号を受信した場合に、風呂循環回路を風呂水供給回路に切り替える洗濯注水回路を設けたことを特徴とする電気給湯機。
【請求項３】
貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットとを備えた電気給湯機において、ホームネットワークシステムにより各機器とデータを共用化し、エラー発生時に自動的にサービスセンターへエラーコードを送信するサービスコール回路を設けたことを特徴とする電気給湯機。
【請求項４】
貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットとを備えた電気給湯機において、ホームネットワークシステムにより各機器とデータを共用化し、天気予報のデータを取り込んで、予想天気又は予想気温に基づいて湯を沸かす量又は温度を決定する天気予報決定回路を設けたことを特徴とする電気給湯機。
【請求項５】
貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットとを備えた電気給湯機において、ホームネットワークシステムにより、お湯の使用が数日間停止した場合に所定の登録者に通知する緊急コール回路を設けたことを特徴とする電気給湯機。
【請求項６】
貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットとを備えた電気給湯機において、ホームネットワークシステムにより各機器とデータを共用化し、電気使用量を１ヶ月ごとに累計し、電気使用量が前月よりも多くなった場合に通知する電気使用量通知回路を設けたことを特徴とする電気給湯機。
【請求項７】
貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットとを備えた電気給湯機において、ホームネットワークシステムにより各機器とデータを共用化し、年間蓄熱量を累計する蓄熱量管理回路を設けたことを特徴とする電気給湯機。
【請求項８】
貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットとを備えた電気給湯機において、ホームネットワークシステムにより各機器とデータを共用化し、インターネットでＮＴＰサーバに接続し、時刻を定期的に日本標準時刻に合わせる時刻修正回路を設けたことを特徴とする電気給湯機。
【請求項９】
貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットとを備えた電気給湯機において、ホームネットワークシステムにより各機器とデータを共用化し、風呂沸かし量又は風呂沸かし時間帯をユーザにより指定して年間スケジュール運転を行う年間スケジュール運転回路を設けたことを特徴とする電気給湯機。
【請求項１０】
貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットとを備えた電気給湯機において、ホームネットワークシステムにより各機器とデータを共用化し、各機器の制御ソフトをインターネットで配信する制御ソフト配信回路を設けたことを特徴とする電気給湯機。
【請求項１１】
貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットとを備えた電気給湯機において、ホームネットワークシステムにより各機器とデータを共用化し、各機器のリモコンを共用化する共用リモコン回路を設けたことを特徴とする電気給湯機。
【請求項１２】
貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットと、自動風呂湯張り機能とを備えた電気給湯機において、ホームネットワークシステムにより各機器とデータを共用化し、予め定めた特定のテレビ番組の終了時刻に合わせて湯張りを完了するように湯張り開始回路を構成したことを特徴とする電気給湯機。
【請求項１３】
貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットとを備えた電気給湯機において、ホームネットワークシステムにより各機器とデータを共用化し、夏季及び冬季に対応した運転モードを予め定めておき、エアコンの冷房使用開始若しくは冷房使用何回目かにて夏季モードを開始し、エアコンの暖房使用開始若しくは暖房使用何回目かにて冬季モードを開始するように運転モード切替回路を構成したことを特徴とする電気給湯機。
【請求項１４】
貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットと、自動風呂湯張り機能とを備えた電気給湯機において、ホームネットワークシステムにより自動洗浄機能付バスユニットとデータを共用化し、自動風呂湯張りの開始時刻に合わせてバスユニットの洗浄が完了するように、自動洗浄機能付バスユニットに対して洗浄開始信号を送信するように回路を構成したことを特徴とする電気給湯機。
【発明の詳細な説明】
【技術分野】
【０００１】
本発明は、電気給湯機に関し、特に、ホームネットワークシステムにより、利便性を向上させることができる電気給湯機に関するものである。
【背景技術】
【０００２】
従来、深夜電力を用いた電気給湯機では、水道管から供給された水道水を電気給湯機の貯湯タンク内にて加熱するとともに、この加熱した温水を、直接或いは別の水道管からの水道水と混合することにより設定温度に調節し、この温度調節した温水を配管を介して浴室の給湯口や蛇口に供給するように構成されている。
【０００３】
ところで、家庭電化製品においては、例えば、ホームサーバと複数のネット端末から構成されるホームネットワークシステムが提案されている。
このホームネットワークシステムを電気給湯機に取り入れることにより、電気給湯機に通信機能を付与し、例えば、外出先から携帯電話により給湯を行うこともできる。
【発明の開示】
【発明が解決しようとする課題】
【０００４】
本発明は、上記従来の電気給湯機において、ホームネットワークシステムにより、さらに利便性を向上させることができる電気給湯機を提供することを目的とする。
【課題を解決するための手段】
【０００５】
上記目的を達成するため、本第１発明の電気給湯機は、貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットとを備えた電気給湯機において、ホームネットワークシステムによりエアコン室外機とデータを共用化し、該エアコン室外機の外気温度センサの測定温度が任意の温度より低い場合に湯張り温度を設定温度より高く補正するとともに、該測定温度が任意の温度より高い場合に湯張り温度を設定温度より低く補正する温度補正回路を設けたことを特徴とする。
【０００６】
また、本第２発明の電気給湯機は、貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットと、追い焚き用の風呂循環回路と、該風呂循環回路から分岐し浴槽の水を洗濯機に供給する風呂水供給回路とを備えた電気給湯機において、ホームネットワークシステムにより洗濯機とデータを共用化し、該洗濯機からの洗濯注水のモード信号を受信した場合に、風呂循環回路を風呂水供給回路に切り替える洗濯注水回路を設けたことを特徴とする。
【０００７】
また、本第３発明の電気給湯機は、貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットとを備えた電気給湯機において、ホームネットワークシステムにより各機器とデータを共用化し、エラー発生時に自動的にサービスセンターへエラーコードを送信するサービスコール回路を設けたことを特徴とする。
【０００８】
また、本第４発明の電気給湯機は、貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットとを備えた電気給湯機において、ホームネットワークシステムにより各機器とデータを共用化し、天気予報のデータを取り込んで、予想天気又は予想気温に基づいて湯を沸かす量又は温度を決定する天気予報決定回路を設けたことを特徴とする。
【０００９】
また、本第５発明の電気給湯機は、貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットとを備えた電気給湯機において、ホームネットワークシステムにより各機器とデータを共用化し、お湯の使用が数日間停止した場合に所定の登録者に通知する緊急コール回路を設けたことを特徴とする。
【００１０】
また、本第６発明の電気給湯機は、貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットとを備えた電気給湯機において、ホームネットワークシステムにより各機器とデータを共用化し、電気使用量を１ヶ月ごとに累計し、電気使用量が前月よりも多くなった場合に通知する電気使用量通知回路を設けたことを特徴とする。
【００１１】
また、本第７発明の電気給湯機は、貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットとを備えた電気給湯機において、ホームネットワークシステムにより各機器とデータを共用化し、年間蓄熱量を累計する蓄熱量管理回路を設けたことを特徴とする。
【００１２】
また、本第８発明の電気給湯機は、貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットとを備えた電気給湯機において、ホームネットワークシステムにより各機器とデータを共用化し、インターネットでＮＴＰサーバに接続し、時刻を定期的に日本標準時刻に合わせる時刻修正回路を設けたことを特徴とする。
【００１３】
また、本第９発明の電気給湯機は、貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットとを備えた電気給湯機において、ホームネットワークシステムにより各機器とデータを共用化し、風呂沸かし量又は風呂沸かし時間帯をユーザにより指定して年間スケジュール運転を行う年間スケジュール運転回路を設けたことを特徴とする。
【００１４】
また、本第１０発明の電気給湯機は、貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットとを備えた電気給湯機において、ホームネットワークシステムにより各機器とデータを共用化し、各機器の制御ソフトをインターネットで配信する制御ソフト配信回路を設けたことを特徴とする。
【００１５】
また、本第１１発明の電気給湯機は、貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットとを備えた電気給湯機において、ホームネットワークシステムにより各機器とデータを共用化し、各機器のリモコンを共用化する共用リモコン回路を設けたことを特徴とする。
【００１６】
また、本第１２発明の電気給湯機は、貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットと、自動風呂湯張り機能とを備えた電気給湯機において、ホームネットワークシステムにより各機器とデータを共用化し、予め定めた特定のテレビ番組の終了時刻に合わせて湯張りを完了するように湯張り開始回路を構成したことを特徴とする。
【００１７】
また、本第１３発明の電気給湯機は、貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットとを備えた電気給湯機において、ホームネットワークシステムにより各機器とデータを共用化し、夏季及び冬季に対応した運転モードを予め定めておき、エアコンの冷房使用開始若しくは冷房使用何回目かにて夏季モードを開始し、エアコンの暖房使用開始若しくは暖房使用何回目かにて冬季モードを開始するように運転モード切替回路を構成したことを特徴とする電気給湯機。
【００１８】
また、本第１４発明の電気給湯機は、貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットと、自動風呂湯張り機能とを備えた電気給湯機において、ホームネットワークシステムにより自動洗浄機能付バスユニットとデータを共用化し、自動風呂湯張りの開始時刻に合わせてバスユニットの洗浄が完了するように、自動洗浄機能付バスユニットに対して洗浄開始信号を送信するように回路を構成したことを特徴とする。
【発明の効果】
【００１９】
本第１発明の電気給湯機によれば、貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットとを備えた電気給湯機において、ホームネットワークシステムによりエアコン室外機とデータを共用化し、該エアコン室外機の外気温度センサの測定温度が任意の温度より低い場合に湯張り温度を設定温度より高く補正するとともに、該測定温度が任意の温度より高い場合に湯張り温度を設定温度より低く補正する温度補正回路を設けることから、外気温度による水温変化に対応した給湯を行うことができる。
【００２０】
また、本第２発明の電気給湯機によれば、貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットと、追い焚き用の風呂循環回路と、該風呂循環回路から分岐し浴槽の水を洗濯機に供給する風呂水供給回路とを備えた電気給湯機において、ホームネットワークシステムにより洗濯機とデータを共用化し、該洗濯機からの洗濯注水のモード信号を受信した場合に、風呂循環回路を風呂水供給回路に切り替える洗濯注水回路を設けることから、風呂の残り湯を洗濯機に連動させて自動的に汲み上げることができる。
【００２１】
また、本第３発明の電気給湯機によれば、貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットとを備えた電気給湯機において、ホームネットワークシステムにより各機器とデータを共用化し、エラー発生時に自動的にサービスセンターへエラーコードを送信するサービスコール回路を設けることから、エラー発生時は自動的にサービスセンターへエラーコードを送信して、迅速なサービス対応をすることができる。
【００２２】
また、本第４発明の電気給湯機によれば、貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットとを備えた電気給湯機において、ホームネットワークシステムにより各機器とデータを共用化し、天気予報のデータを取り込んで、予想天気又は予想気温に基づいて湯を沸かす量又は温度を決定する天気予報決定回路を設けることから、翌日の外気温度等に対応し、湯を沸かす量や温度を決定することができる。
【００２３】
また、本第５発明の電気給湯機によれば、貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットとを備えた電気給湯機において、ホームネットワークシステムにより各機器とデータを共用化し、お湯の使用が数日間停止した場合に所定の登録者に通知する緊急コール回路を設けることから、湯の使用の有無により、離れている家族等が高齢者等の安否を認識することができる。
【００２４】
また、本第６発明の電気給湯機によれば、貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットとを備えた電気給湯機において、ホームネットワークシステムにより各機器とデータを共用化し、電気使用量を１ヶ月ごとに累計し、電気使用量が前月よりも多くなった場合に通知する電気使用量通知回路を設けることから、電気使用量をわかりやすく認識するとともに、ホームネットワークシステムに接続された他の電化製品を含め使用電力量の管理を行い、各家庭に合わせた電力の最適使用パターンを推奨することができる。
【００２５】
また、本第７発明の電気給湯機によれば、貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットとを備えた電気給湯機において、ホームネットワークシステムにより各機器とデータを共用化し、年間蓄熱量を累計する蓄熱量管理回路を設けることから、年間蓄熱量を管理し、最適な蓄熱量管理と監視を行うことができる。
【００２６】
また、本第８発明の電気給湯機によれば、貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットとを備えた電気給湯機において、ホームネットワークシステムにより各機器とデータを共用化し、インターネットでＮＴＰサーバに接続し、時刻を定期的に日本標準時刻に合わせる時刻修正回路を設けることから、時刻を自動的に日本標準時刻に修正し、時計合わせの必要がなくなる。
【００２７】
また、本第９発明の電気給湯機によれば、貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットとを備えた電気給湯機において、ホームネットワークシステムにより各機器とデータを共用化し、風呂沸かし量又は風呂沸かし時間帯をユーザにより指定して年間スケジュール運転を行う年間スケジュール運転回路を設けることから、風呂沸かし量や風呂沸かし時間帯をユーザの好みに合わせて自動運転することができる。
【００２８】
また、本第１０発明の電気給湯機によれば、貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットとを備えた電気給湯機において、ホームネットワークシステムにより各機器とデータを共用化し、各機器の制御ソフトをインターネットで配信する制御ソフト配信回路を設けることから、各機器は運転ソフトを持たずに、最新ソフトをダウンロードして使用することができる。
【００２９】
また、本第１１発明の電気給湯機によれば、貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットとを備えた電気給湯機において、ホームネットワークシステムにより各機器とデータを共用化し、各機器のリモコンを共用化する共用リモコン回路を設けることから、例えば、共通のリモコンによりテレビ画面上で各機器すべての操作又は設定を行うことができる。
【００３０】
また、本第１２発明の電気給湯機によれば、貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットと、自動風呂湯張り機能とを備えた電気給湯機において、ホームネットワークシステムにより各機器とデータを共用化し、予め定めた特定のテレビ番組の終了時刻に合わせて湯張りを完了するように湯張り開始回路を構成したことから、テレビ番組を見終わるとすぐに入浴することができる。
【００３１】
また、本第１３発明の電気給湯機によれば、貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットとを備えた電気給湯機において、ホームネットワークシステムにより各機器とデータを共用化し、夏季及び冬季に対応した運転モードを予め定めておき、エアコンの冷房使用開始若しくは冷房使用何回目かにて夏季モードを開始し、エアコンの暖房使用開始若しくは暖房使用何回目かにて冬季モードを開始するように運転モード切替回路を構成したことから、夏季及び冬季に対応した運転モードの切替を自動的に行うことができる。
【００３２】
また、本第１４発明の電気給湯機によれば、貯湯タンクと、該貯湯タンクの下部に設けられた給水管と、貯湯タンクの上部に設けられた給湯管と、貯湯タンク内に設けられたヒータ若しくは貯湯タンクに配管にて接続された熱源ユニットと、自動風呂湯張り機能とを備えた電気給湯機において、ホームネットワークシステムにより自動洗浄機能付バスユニットとデータを共用化し、自動風呂湯張りの開始時刻に合わせてバスユニットの洗浄が完了するように、自動洗浄機能付バスユニットに対して洗浄開始信号を送信するように回路を構成したことから、バスユニットの洗浄を風呂の湯張りに合わせて自動的に行うことができる。
【発明を実施するための最良の形態】
【００３３】
以下、本発明の電気給湯機の実施の形態を、図面に基づいて説明する。
【実施例１】
【００３４】
図１〜図２に、本発明の電気給湯機の実施例を示す。
この電気給湯機は、所要の容量を有するステンレススチール製の貯湯タンク１と、該貯湯タンク１の下部に設けられた給水管２と、貯湯タンク１の上部に設けられた給湯管３と、貯湯タンク１内の下部に設けられた下部ヒータ４と、貯湯タンク１内の上部に設けられた上部ヒータ５と、熱交換器６１とポンプ６２を備えた追い焚き用の風呂循環回路６と、３方弁６３を介して該風呂循環回路６から分岐し、浴槽７の水を洗濯機８に供給する風呂水供給回路９とを備えている。
【００３５】
そして、本実施例の電気給湯機は、図２に示すように、かかる電気給湯機において、ホームサーバと複数のネット端末から構成されるホームネットワークシステムにより、エアコン室外機とデータを共用化し、該エアコン室外機の外気温度センサの測定温度が任意の温度より低い場合に湯張り温度を設定温度より高く補正するとともに、該測定温度が任意の温度より高い場合に湯張り温度を設定温度より低く補正する温度補正回路（図示省略）を設けている。
【００３６】
そして、ホームネットワークシステムにより洗濯機とデータを共用化し、該洗濯機からの洗濯注水のモード信号を受信した場合に、風呂循環回路６を風呂水供給回路９に切り替える洗濯注水回路（図示省略）を設けている。
【００３７】
また、ホームネットワークシステムによりその他各機器とデータを共用化し、エラー発生時に自動的にサービスセンターへエラーコードを送信するサービスコール回路を設け、さらに、天気予報のデータを取り込んで、予想天気又は予想気温に基づいて湯を沸かす量又は温度を決定する天気予報決定回路を設けたり、お湯の使用が数日間停止した場合に所定の登録者に通知する緊急コール回路を設けることができる。
【００３８】
また、ホームネットワークシステムにより各機器とデータを共用化し、電気使用量を１ヶ月ごとに累計し、電気使用量が前月よりも多くなった場合に通知する電気使用量通知回路を設けたり、年間蓄熱量を累計し、最適な蓄熱量管理と監視を行う蓄熱量管理回路を設けることができる。
【００３９】
さらに、ホームネットワークシステムにより各機器とデータを共用化し、インターネットでＮＴＰサーバに接続し、時刻を定期的に日本標準時刻に合わせる時刻修正回路を設けたり、風呂沸かし量又は風呂沸かし時間帯をユーザにより指定して年間スケジュール運転を行う年間スケジュール運転回路を設けることができる。
【００４０】
また、ホームネットワークシステムにより各機器とデータを共用化し、各機器の制御ソフトをインターネットで配信する制御ソフト配信回路を設けたり、各機器のリモコンを共用化し、テレビ画面上で各機器の操作又は設定を行う共用リモコン回路を設けることができる。
【００４１】
また、電気給湯機に浴槽７の自動風呂湯張り機能（図示省略）を備え、ホームネットワークシステムにより各機器とデータを共用化し、予め定めた特定のテレビ番組の終了時刻に合わせて湯張りを完了するように湯張り開始回路を構成することができる。
【００４２】
また、ホームネットワークシステムにより各機器とデータを共用化し、夏季及び冬季に対応した運転モードを予め定めておき、エアコンの冷房使用開始若しくは冷房使用何回目かにて夏季モードを開始し、エアコンの暖房使用開始若しくは暖房使用何回目かにて冬季モードを開始するように運転モード切替回路を構成することができる。
【００４３】
また、電気給湯機に浴槽７の自動風呂湯張り機能（図示省略）を備え、ホームネットワークシステムにより自動洗浄機能付バスユニットとデータを共用化し、自動風呂湯張りの開始時刻に合わせてバスユニットの洗浄が完了するように、自動洗浄機能付バスユニットに対して洗浄開始信号を送信するように回路を構成することができる。
【００４４】
かくして、本実施例の電気給湯機は、貯湯タンク１と、該貯湯タンク１の下部に設けられた給水管２と、貯湯タンク１の上部に設けられた給湯管３と、貯湯タンク１内に設けられたヒータ４、５とを備えた電気給湯機において、ホームネットワークシステムによりエアコン室外機とデータを共用化し、該エアコン室外機の外気温度センサの測定温度が任意の温度より低い場合に湯張り温度を設定温度より高く補正するとともに、該測定温度が任意の温度より高い場合に湯張り温度を設定温度より低く補正する温度補正回路を設けることから、外気温度による水温変化に対応した給湯を行うことができる。
【００４５】
また、ホームネットワークシステムにより洗濯機とデータを共用化し、該洗濯機からの洗濯注水のモード信号を受信した場合に、風呂循環回路を風呂水供給回路に切り替える洗濯注水回路を設けることにより、風呂の残り湯を洗濯機に連動させて自動的に汲み上げることができる。
【００４６】
また、ホームネットワークシステムにより各機器とデータを共用化し、エラー発生時に自動的にサービスセンターへエラーコードを送信するサービスコール回路を設けることから、エラー発生時は自動的にサービスセンターへエラーコードを送信して、迅速なサービス対応をすることができる。
【００４７】
また、ホームネットワークシステムにより各機器とデータを共用化し、天気予報のデータを取り込んで、予想天気又は予想気温に基づいて湯を沸かす量又は温度を決定する天気予報決定回路を設けることから、翌日の外気温度等に対応し、湯を沸かす量や温度を決定することができる。
【００４８】
また、ホームネットワークシステムにより各機器とデータを共用化し、お湯の使用が数日間停止した場合に所定の登録者に通知する緊急コール回路を設けることから、湯の使用の有無により、離れている家族等が高齢者等の安否を認識することができる。
【００４９】
また、ホームネットワークシステムにより各機器とデータを共用化し、電気使用量を１ヶ月ごとに累計し、電気使用量が前月よりも多くなった場合に通知する電気使用量通知回路を設けることから、電気使用量をわかりやすく認識するとともに、ホームネットワークシステムに接続された他の電化製品を含め使用電力量の管理を行い、各家庭に合わせた電力の最適使用パターンを推奨することができる。
【００５０】
また、ホームネットワークシステムにより各機器とデータを共用化し、年間蓄熱量を累計する蓄熱量管理回路を設けることから、年間蓄熱量を管理し、最適な蓄熱量管理と監視を行うことができる。
【００５１】
また、ホームネットワークシステムにより各機器とデータを共用化し、インターネットでＮＴＰサーバに接続し、時刻を定期的に日本標準時刻に合わせる時刻修正回路を設けることから、時刻を自動的に日本標準時刻に修正し、時計合わせの必要がなくなる。
【００５２】
また、ホームネットワークシステムにより各機器とデータを共用化し、風呂沸かし量又は風呂沸かし時間帯をユーザにより指定して年間スケジュール運転を行う年間スケジュール運転回路を設けることから、風呂沸かし量や風呂沸かし時間帯をユーザの好みに合わせて自動運転することができる。
【００５３】
また、本ホームネットワークシステムにより各機器とデータを共用化し、各機器の制御ソフトをインターネットで配信する制御ソフト配信回路を設けることから、各機器は運転ソフトを持たずに、最新ソフトをダウンロードして使用することができる。
【００５４】
また、ホームネットワークシステムにより各機器とデータを共用化し、各機器のリモコンを共用化する共用リモコン回路を設けることから、例えば、共通のリモコンによりテレビ画面上で各機器すべての操作又は設定を行うことができる。
【００５５】
また、電気給湯機に浴槽７の自動風呂湯張り機能（図示省略）を備え、ホームネットワークシステムにより各機器とデータを共用化し、予め定めた特定のテレビ番組の終了時刻に合わせて湯張りを完了するように湯張り開始回路を構成したことから、テレビ番組を見終わるとすぐに入浴することができる。
【００５６】
また、ホームネットワークシステムにより各機器とデータを共用化し、夏季及び冬季に対応した運転モードを予め定めておき、エアコンの冷房使用開始若しくは冷房使用何回目かにて夏季モードを開始し、エアコンの暖房使用開始若しくは暖房使用何回目かにて冬季モードを開始するように運転モード切替回路を構成したことから、夏季及び冬季に対応した運転モードの切替を自動的に行うことができる。
【００５７】
また、電気給湯機に浴槽７の自動風呂湯張り機能（図示省略）を備え、ホームネットワークシステムにより自動洗浄機能付バスユニットとデータを共用化し、自動風呂湯張りの開始時刻に合わせてバスユニットの洗浄が完了するように、自動洗浄機能付バスユニットに対して洗浄開始信号を送信するように回路を構成したことから、バスユニットの洗浄を風呂の湯張りに合わせて自動的に行うことができる。
【００５８】
以上、本発明の電気給湯機について、その実施例に基づいて説明したが、本発明は上記実施例に記載した構成に限定されるものではなく、その趣旨を逸脱しない範囲において適宜その構成を変更することができる。
また、上記実施例においては、貯湯タンク内にヒータを配設した、いわゆる電気温水器を例に説明したが、本発明は、貯湯タンクに配管にて接続されたヒートポンプ式等の熱源ユニットを配設した電気給湯機にも適用することができ、同様の効果を得ることができる。
【産業上の利用可能性】
【００５９】
本発明の電気給湯機は、ホームネットワークシステムにより利便性を向上させることから、ネットワーク家電として、各種電気給湯機に好適に適用することができる。
【図面の簡単な説明】
【００６０】
【図１】本発明の電気給湯機の一実施例を示す回路図である。
【図２】同実施例のホームネットワークシステムを示す回路図である。
【符号の説明】
【００６１】
１    貯湯タンク
２    給水管
３    給湯管
４    下部ヒータ
５    上部ヒータ
６    風呂循環回路
６１  熱交換器
６２  ポンプ
６３  ３方弁
７    浴槽
８    洗濯機
９    風呂水供給回路
【図１】
2006097925.tif 000003
【図２】
2006097925.tif 000004